【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
一次側制御パワーコンバータのためのコントローラであって、
スイッチング信号を出力して電力スイッチをオン状態とオフ状態との間で切換えて前記パワーコンバータの出力を調整するように結合されたドライバ回路と、
前記ドライバ回路に結合され、出力電圧信号に応じてイネーブル信号を出力して前記電力スイッチをオン状態に切換えるように結合されたフィードバック回路と、
前記パワーコンバータの出力における負荷条件に応じて前記パワーコンバータのバイアス巻線電圧が非線形に調節されるように電圧基準を調節するよう結合された調節可能電圧基準回路とを備え、
前記調節可能電圧基準回路は、前記スイッチング信号に応答して前記負荷条件を検出するようにさらに結合される、コントローラ。
【請求項２】
電流センサが、前記電力スイッチを通るスイッチ電流を表わす電流検知信号を出力し、
前記ドライバ回路は、前記負荷条件に応じて前記電力スイッチの電流を制限する、請求項１に記載のコントローラ。
【請求項３】
前記ドライバ回路に結合された発振器をさらに備え、
前記発振器はクロック信号を出力して、前記電力スイッチの実質的に一定のスイッチング期間を設定する、請求項１に記載のコントローラ。
【請求項４】
前記調節可能電圧基準回路はさらに、前記電力スイッチの有効スイッチング周波数に応じて前記負荷条件を判断するように結合される、請求項３に記載のコントローラ。
【請求項５】
前記電圧基準は、前記電力スイッチの前記有効スイッチング周波数に応じて調節される、請求項４に記載のコントローラ。
【請求項６】
前記調節可能電圧基準回路はさらに、第１の閾値調節回路を含み、
前記第１の閾値調節回路は、第１の負荷条件に応じて第１の量だけ前記電圧基準を調節する、請求項３に記載のコントローラ。
【請求項７】
前記調節可能電圧基準回路はさらに、第２の閾値調節回路を含み、
前記第２の閾値調節回路は、第２の負荷条件に応じて第２の量だけ前記電圧基準を調節し、
前記第１の量から前記第２の量へのパーセント変化は、前記第１の負荷条件から前記第２の負荷条件へのパーセント変化よりも大きいパーセント変化である、請求項６に記載のコントローラ。
【請求項８】
前記調節可能電圧基準回路はさらに、１つ以上の前記閾値調節回路によって生成された閾値調節信号に応じて前記電圧基準の値を変更する平均化回路を含む、請求項７に記載のコントローラ。
【請求項９】
パワーコンバータのための集積回路であって、
オン状態とオフ状態との間で切換わるように結合された電力スイッチと、
スイッチング信号を用いて前記電力スイッチをオン状態とオフ状態との間で切換えて前記パワーコンバータの出力を調整するように結合され、前記電力スイッチを流れるスイッチ電流がスイッチ電流閾値に達したことに応じて前記電力スイッチをディスエーブルにするように適合されたコントローラと、
前記コントローラに結合され、前記パワーコンバータの出力電圧を表わすバイアス巻線電圧を受けるフィードバック端子とを備え、
前記コントローラは、前記パワーコンバータの出力における負荷条件に応じて前記バイアス巻線電圧を非線形に調節するように結合され、
前記コントローラは、前記スイッチング信号に応答して前記負荷条件を検出する、集積回路。
【請求項１０】
前記バイアス巻線電圧は、前記電力スイッチのスイッチング期間よりも実質的に長い期間の平均電圧である、請求項９に記載の集積回路。
【請求項１１】
前記コントローラは、前記集積回路に含まれるフィードバック回路の調節可能基準電圧を調節して前記バイアス巻線電圧を調節するように結合される、請求項９に記載の集積回路。
【請求項１２】
前記コントローラは、スイッチ電流制限を調節して前記バイアス巻線電圧を調節するように結合される、請求項９に記載の集積回路。
【請求項１３】
前記コントローラは一次側コントローラである、請求項９に記載の集積回路。
【請求項１４】
前記コントローラは、前記調節可能基準電圧を非線形に調節するように結合される、請求項１１に記載の集積回路。
【請求項１５】
前記コントローラは、ある範囲の負荷条件の間、前記バイアス巻線電圧を調節するように結合される、請求項１４に記載の集積回路。
【請求項１６】
前記コントローラは、電流制限を非線形に調節するように結合される、請求項１２に記載の集積回路。
【請求項１７】
パワーコンバータであって、
電力スイッチと、
前記電力スイッチに結合され、スイッチング信号を用いて前記電力スイッチをオン状態とオフ状態との間で切換えて前記パワーコンバータの出力を調整するコントローラと、
前記電力スイッチに結合され、前記パワーコンバータの入力を出力からガルバニック絶縁し、かつ前記パワーコンバータの入力と出力との間でエネルギを伝達するエネルギ伝達素子と、
前記エネルギ伝達素子に結合されたバイアス巻線とを備え、
前記バイアス巻線の両端のバイアス巻線電圧は、前記パワーコンバータの出力における出力電圧を表わし、
前記コントローラは、前記パワーコンバータの出力における負荷条件に応じて前記バイアス巻線電圧を非線形に調節し、
前記コントローラは、前記スイッチング信号に応答して前記負荷条件を検出する、パワーコンバータ。
【請求項１８】
前記コントローラは集積回路に含まれるか、あるいは、前記電力スイッチおよび前記コントローラは単一モノリシック集積回路に集積される、請求項１７に記載のパワーコンバータ。
【請求項１９】
前記コントローラは、前記電力スイッチの有効スイッチング周波数に応じて、前記負荷条件を判断する、請求項１７に記載のパワーコンバータ。
【請求項２０】
前記コントローラは、前記電力スイッチのディスエーブル期間の数の検出に応じてフィードバック電圧基準を調節する、請求項１７に記載のパワーコンバータ。
【請求項２１】
電源のバイアス巻線電圧を調節するための方法であって、
スイッチング信号を用いて電力スイッチをオン状態とオフ状態との間で切換えることによってパワーコンバータの出力電圧を調整するステップを備え、前記電力スイッチは、前記電力スイッチを通るスイッチ電流がスイッチ電流がスイッチ電流閾値を超えるとオフ状態に戻るように適合され、前記方法はさらに、
前記スイッチング信号に応答して前記パワーコンバータの出力に結合された負荷の負荷条件を判断するステップと、
前記負荷条件に応じてバイアス巻線電圧を非線形に調節するステップとを備える、方法。
【請求項２２】
前記負荷条件に応じてバイアス巻線電圧を非線形に調節するステップは、調節可能基準電圧を非線形に調節するステップを含み、前記方法はさらに、
前記バイアス巻線電圧が前記調節可能基準電圧よりも大きい場合、前記電力スイッチのスイッチングを禁止するステップを備える、請求項２１に記載のバイアス巻線電圧を調節するための方法。
【請求項２３】
コントローラ内の電流制限基準を調節して前記バイアス巻線電圧を調節するステップをさらに備える、請求項２１に記載のバイアス巻線電圧を調節するための方法。
【請求項２４】
前記電力スイッチを通るスイッチ電流を制限して前記バイアス巻線電圧を調節するステップをさらに備える、請求項２１に記載のバイアス巻線電圧を調節するための方法。
【請求項２５】
一次側制御パワーコンバータのためのコントローラであって、
スイッチング信号を出力して電力スイッチをオン状態とオフ状態との間で切換えて前記パワーコンバータの出力を調整するように結合されたドライバ回路と、
前記ドライバ回路に結合され、出力電圧信号に応じてイネーブル信号を出力して前記電力スイッチをオン状態に切換えるように結合されたフィードバック回路と、
電流検知信号を受信し、かつスイッチ電流がスイッチ電流閾値に達すると前記電力スイッチをオフ状態に切換えるように結合された電流制限回路と、
前記パワーコンバータの出力における負荷条件に応じて前記パワーコンバータのバイアス巻線電圧が非線形に調節されるように電流制限を調節するよう結合された調節可能電圧基準回路とを備え、
前記調節可能電圧基準回路は、前記スイッチング信号に応答して前記負荷条件を検出するようにさらに結合される、コントローラ。
【請求項２６】
パワーコンバータのための集積回路コントローラであって、
スイッチング信号を出力して電力スイッチの切換を制御して前記パワーコンバータの出力を調整するように結合されたドライバ回路と、
前記ドライバ回路に結合され、バイアス巻線電圧が調節可能基準電圧よりも大きい場合、前記電力スイッチのスイッチングを禁止するフィードバック回路と、
前記パワーコンバータの出力における負荷条件に応じて前記調節可能基準電圧を非線形に調節するように結合された調節可能電圧基準回路とを備え、
前記調節可能電圧基準回路は、前記スイッチング信号に応答して前記負荷条件を検出するようにさらに結合される、コントローラ。
【請求項２７】
前記調節可能電圧基準回路は、
前記パワーコンバータの出力における第１の負荷条件に応じて第１の閾値調節信号を出力するように結合された第１の閾値調節回路と、
前記パワーコンバータの出力における第２の負荷条件に応じて第２の閾値調節信号を出力するように結合された第２の閾値調節回路と、
調節可能電圧基準を生成し、かつ前記第１および第２の閾値調節信号に応じて前記調節可能電圧基準を調節するように結合された平均化回路とを備える、請求項２６に記載のコントローラ。
【請求項２８】
前記平均化回路は、前記調節可能電圧基準を蓄えるように結合されたキャパシタを備え、
前記キャパシタはさらに、前記第１および第２の閾値調節信号に応じて選択的に放電するように結合される、請求項２７に記載のコントローラ。
【請求項２９】
前記平均化回路はさらに、第１および第２の電流源を備え、
前記第１の電流源は、前記第１の閾値調節信号に応じて第１の比率で前記キャパシタの両端の平均電圧を選択的に減少させるように結合され、
前記第２の電流源は、前記第２の閾値調節信号に応じて第２の比率で前記キャパシタの両端の平均電圧を減少させるように結合される、請求項２８に記載のコントローラ。
【請求項３０】
前記第１の閾値調節回路は、前記スイッチング信号の第１の数の連続ディスエーブルスイッチング期間に応じて前記第１の閾値調節信号を出力するように結合され、
前記第２の閾値調節回路は、前記スイッチング信号の第２の数の連続ディスエーブルスイッチング期間に応じて前記第２の閾値調節信号を出力するように結合される、請求項２７に記載のコントローラ。
【請求項３１】
前記電力スイッチは前記集積回路コントローラに集積される、請求項２６に記載のコントローラ。
【手続補正２】
【補正対象書類名】明細書
【補正対象項目名】００３６
【補正方法】変更
【補正の内容】
【００３６】
示されるように、リップル期間ＴRIP1の初めに、波形３１０は電圧ピークＶPEAK1Bに近づく。より具体的には、パワーコンバータ１００のダイオードＤ2の導通時の１つのスイッチング期間中に電圧ピークＶPEAK1Bに達する。一例では、電圧基準ＶADJREFから第１の電圧ピークＶPEAK1Bへの波形３１０の電圧変化は、スイッチング期間ＴS中にパワーコンバータ１００のバイアスキャパシタＣBIASに供給されるエネルギ量を表わし得る。リップル期間ＴRIP1の残りの間、電圧波形３１０は基準電圧ＶADJREFに達するまで低下する。平均バイアス巻線電圧ＶAVGBIAS1Bは、バイアス電圧波形３１０の平均電圧である。